(57)【要約】【課題】商品収納部を均一に冷却することのできるショーケースを提供する。【解決手段】第２のダクト部材１４ａに、側面側収納部１４の各コーナー部に向かって空気を吐出可能な空気吐出孔１４ｅを上下方向に亘って複数設け、各空気吐出孔１４ｅから吐出する空気の吐出量がそれぞれ所定の吐出量となるように空気を案内するための空気案内部材２６を備えたので、側面側収納部１４の各コーナー部に空気を流通させるとともに、各コーナー部に吐出する空気を上下方向に異なる吐出量とすることができ、側面側収納部１４の前後方向寸法及び幅方向寸法が上下方向で異なる場合においても側面側収納部１４の温度を均一に冷却することが可能となる。【選択図】図４
2007163020.tif 000002
【特許請求の範囲】
【請求項１】
前面側、背面側及び一方の側面側に開口部を有するショーケース本体と、ショーケース本体内に設けられた商品収納部と、商品収納部の底面側に形成され、開口部の下端に空気吸入口を有する第１の通風路と、商品収納部の前後方向中央部を上下方向に延びるように設けられた第２の通風路と、商品収納部の上面側に設けられ、開口部の上端に空気吐出口を有する第３の通風路と、空気吸入口から第１の通風路に空気を吸入させて第２の通風路及び第３の通風路を介して空気吐出口から吐出させる送風機と、空気吸入口から吸入した空気を冷却する冷却器とを備えたショーケースにおいて、
前記第２の通風路に、側面側の開口部の前端側及び後端側に向かって空気を吐出可能な空気吐出孔を上下方向に亘って複数設け、
各空気吐出孔から吐出する空気の吐出量がそれぞれ所定の吐出量となるように空気を案内する空気案内部材を備えた
ことを特徴とするショーケース。
【請求項２】
前記空気案内部材を、上方の空気吐出孔からの空気の吐出量よりも下方の空気吐出孔からの空気の吐出量が多くなるように形成した
ことを特徴とする請求項１記載のショーケース。
【請求項３】
前記空気案内部材を、下端側に開口部を有し、開口部から流入する空気を各空気吐出孔から吐出可能な上下方向に延びるダクト状の部材から形成した
ことを特徴とする請求項２記載のショーケース。
【請求項４】
前記各空気吐出孔を、それぞれ上下方向に延びる長孔に形成した
ことを特徴とする請求項１記載のショーケース。
【請求項５】
前記側面側商品収納部内に、上下複数の商品棚を設け、
商品棚の第２の通風路側を除く下面の周縁に、下方に延びる空気案内板を設けた
ことを特徴とする請求項１記載のショーケース。
【請求項６】
前記空気案内板に、空気を流通可能な複数の空気流通孔を設けた
ことを特徴とする請求項５記載のショーケース。
【請求項７】
前記商品棚の棚板を下方から支持する棚受を、第２の通風路から側面側の開口部の前端側及び後端側に向かってそれぞれ延びるように設けた
ことを特徴とする請求項５記載のショーケース。
【請求項８】
前記棚板を中空の部材から形成した
ことを特徴とする請求項５記載のショーケース。
【請求項９】
前記送風機を、第１の通風路に設けられた冷却器の空気流入側に複数設け、
各送風機の上流側に位置する第１の通風路を各送風機ごとに仕切る仕切部材を備えた
ことを特徴とする請求項１記載のショーケース。
【発明の詳細な説明】
【技術分野】
【０００１】
本発明は、前面側、背面側及び一方の側面に開口部を有し、商品収納部に陳列された商品を冷却保存可能なショーケースに関するものである。
【背景技術】
【０００２】
従来、この種のショーケースとしては、前面側、背面側及び一方の側面側に開口部を有するショーケース本体と、ショーケース本体内に設けられた商品収納部と、商品収納部の底面側に形成され、開口部の下端に空気吸入口を有する第１の通風路と、商品収納部の前後方向中央部を上下方向に延びるように設けられた第２の通風路と、商品収納部の上面側に設けられ、開口部の上端に空気吐出口を有する第３の通風路と、空気吸入口から第１の通風路に空気を吸入させて第２の通風路及び第３の通風路を介して空気吐出口から吐出させる送風機と、空気吸入口から吸入した空気を冷却する冷却器とを備えたものが知られている（例えば、特許文献１参照）。
【特許文献１】特開２００５−１６４１６８号公報
【発明の開示】
【発明が解決しようとする課題】
【０００３】
しかしながら、従来のショーケースでは、冷却器によって冷却された空気を前面側、背面側及び一方の側面側の開口部の上端からそれぞれ開口部の下端に向かって流通させることによりエアカーテンを形成し、商品収納部を冷却するようにしているため、側面側の開口部の前端側及び後端側にエアカーテンを形成することができず、側面側商品収納部を均一に冷却することができないという問題点があった。
【０００４】
本発明は前記問題点に鑑みてなされたものであり、その目的とするところは、商品収納部を均一に冷却することのできるショーケースを提供することにある。
【課題を解決するための手段】
【０００５】
本発明は前記目的を達成するために、前面側、背面側及び一方の側面側に開口部を有するショーケース本体と、ショーケース本体内に設けられた商品収納部と、商品収納部の底面側に形成され、開口部の下端に空気吸入口を有する第１の通風路と、商品収納部の前後方向中央部を上下方向に延びるように設けられた第２の通風路と、商品収納部の上面側に設けられ、開口部の上端に空気吐出口を有する第３の通風路と、空気吸入口から第１の通風路に空気を吸入させて第２の通風路及び第３の通風路を介して空気吐出口から吐出させる送風機と、空気吸入口から吸入した空気を冷却する冷却器とを備えたショーケースにおいて、前記第２の通風路に、側面側の開口部の前端側及び後端側に向かって空気を吐出可能な空気吐出孔を上下方向に亘って複数設け、各空気吐出孔から吐出する空気の吐出量がそれぞれ所定の吐出量となるように空気を案内する空気案内部材を備えている。
【０００６】
これにより、ショーケース本体の側面開口部の前端側及び後端側に向かって空気が吐出されるとともに、各空気吐出孔から吐出する空気の吐出量がそれぞれ所定の吐出量となるように空気が案内されることから、各空気吐出孔からそれぞれショーケース本体の側面開口部の前端側及び後端側に向かって所定の吐出量の空気が吐出される。
【発明の効果】
【０００７】
本発明によれば、側面側の開口部の前端側及び後端側に空気を流通させるとともに、側面側の開口部の前端側及び後端側に向かって吐出する空気を上下方向に異なる吐出量とすることができるので、商品収納部の前後方向寸法及び幅方向寸法が上下方向で異なる場合においても、商品収納部の温度を均一に冷却することが可能となる。
【発明を実施するための最良の形態】
【０００８】
図１乃至図８は本発明の一実施形態を示すもので、図１はショーケースの全体斜視図、図２はショーケースの正面図、図３はショーケースの側面図、図４は図３のＡ−Ａ′断面図、図５は図２のＢ−Ｂ′断面図、図６は図２のＣ−Ｃ′断面図、図７は図２のＤ−Ｄ′断面図、図８は第２のダクト部材の側面側収納部側及び内部を示す斜視図である。
【０００９】
このショーケースは、前面側、背面側及び一方の側面側を開口したショーケース本体１０と、ショーケース本体１０内の一方の側面側、一方の側面側を除く前面側及び背面側にそれぞれ設けられた第１の通風路、第２の通風路及び第３の通風路としての側面側通風路２０、前面側通風路３０及び背面側通風路４０とを備えている。
【００１０】
ショーケース本体１０は、下部側に位置する下部ケース１１と、他方の側面側を覆う側板１２と、上面側を覆う天板１３とを備えている。
【００１１】
下部ケース１１は、前面側、背面側、底面側及び一方の側面側が断熱壁１１ａによって形成され、他方の側面側を側板１２によって覆うことにより、上面を開口した箱形状に形成されている。下部ケース１１の上面開口は、断熱壁１１ａの内部底面と間隔をおいて向けられた底板１１ｂによって覆われ、断熱壁１１ａと底板１１ｂとの間に、側面側通風路２０、前面側通風路３０及び背面側通風路４０のそれぞれの一部が形成されている。また、前面側、背面側及び一方の側面側の断熱壁１１ａの上端には、ガラス板１１ｃが上方に延びるように設けられ、上面開口がガラス板１１ｃによって囲まれるようになっている。更に、下部ケース１１の下部には、図示しない圧縮機、凝縮器及び凝縮器用送風機等の冷凍機器を設置するための機械室１１ｄが設けられている。
【００１２】
側板１２は、前後方向及び上下方向に延びる断熱性の板状部材からなり、下部ケース１１の他方の側面から上方に延びるように設けられている。
【００１３】
天板１３は、前後方向及び幅方向の寸法が下部ケース１１の前後方向及び幅方向の寸法よりも小さく形成された断熱性の板状部材からなり、側板１２の上端側から一方の側面側に向かって延びるように設けられている。また、天板１３には、天板１３の下面から間隔をおいて上面板１３ａが設けられ、天板１３の下面と上面板１３ａとの間に、側面側通風路２０、前面側通風３０及び背面側通風路４０のそれぞれの一部が形成されている。
【００１４】
下部ケース１１と天板１３との間には、一方の側面側に前面側、背面側、一方の側面側に開口を有する商品収納部としての側面側収納部１４が設けられ、一方の側面側を除く前面側に開口を有する前面側収納部１５と、背面側に開口を有する背面側収納部１６とが設けられている。前面側収納部１５、背面側収納部１６及び側面側収納部１４は、それぞれ底面側が底板１１ｂによって覆われ、上面側が上面板１３ａによって覆われている。また、前面側収納部１５の背面側及び背面側収納部１６の前面側は、それぞれショーケース本体１１の前後方向中央部を上下方向に延びる第１のダクト部材１５ａ，１６ａによって覆われている。更に、側面側収納部１４の他方の側面側は、第１のダクト部材１５ａ，１６ａの一方の側面側端部を上下方向に延びる第２のダクト部材１４ａと、第２のダクト部材１４ａの前後両側に設けられた仕切部材１４ｂ，１４ｃによって覆われている。仕切部材１４ｂ，１４ｃは、樹脂製の透明板から形成され、前面側収納部１５と側面側収納部１４の前面側との間と背面側収納部１６と側面側収納部１４の背面側との間を仕切るようになっている。
【００１５】
側面側通風路２０は、下部ケース１１の断熱壁の底面と底板１１ｂとの間、第２のダクト部材１４ａ、天板１３の下面側と上面板１３ａとの間に連続して形成されている。また、側面側収納部１４の開口の下端に位置する下部ケース１１には、前面側、側面側及び背面側に沿って空気吸入口２１が設けられ、開口の上端に位置する天板１３には、前面側、側面側及び背面側にそれぞれ空気吐出口２２が設けられている。更に、側面側収納部１４の底面側に位置する側面側通風路２０には、一方の側面開口側に互いに前後方向に間隔をおいて配置され、側面側通風路２０に空気を流通させる３台の送風機２３と、各送風機２３の他方の側面側に設けられ、側面側通風路２０を流通する空気を冷却するための冷却器２４が設けられている。また、各送風機２３の一方の側面側に位置する側面側通風路２０は、仕切部材２５によって各送風機２３毎に前後方向に仕切られており、仕切部材２５によって冷却器２４に流入する空気の前後の偏りを防止することが可能となっている。
【００１６】
また、第２のダクト部材１４ａの側面側収納部１４側には、前面側及び背面側にそれぞれ上下方向に延びる空気吐出部１４ｄが設けられ、各空気吐出部１４ｄからそれぞれ側面側収納部１４の側面開口と前面開口の交わるコーナー部及び側面開口と背面開口の交わるコーナー部に向かって空気を吐出可能に設けられている。各空気吐出部１４ｄには、縦長の楕円形状に形成された空気吐出孔１４ｅが上下方向に複数設けられ、各空気吐出部１４ｄの空気吐出孔１４ｅによる開口面積は、上部側よりも下部側の方が大きく形成されている。各空気吐出部１４ｄの第２のダクト部材１４ａの内面には、上下に並ぶ各空気吐出孔１４ｅからの空気の吐出量をそれぞれ所定の吐出量とするための空気案内部材２６が設けられている。空気案内部材２６は、下端を開口した空気吐出部１４ｄの第２のダクト部材１４ａの内面を上下方向に延びるダクト状に形成され、第２のダクト部材１４ａの内部を下方から上方に向かって流通する空気を分岐して各空気吐出孔１４ｅに案内するようになっている。また、空気案内部材２６は、空気が流通する通路の大きさが下端から上端に向かって小さくなるように形成され、各空気吐出孔１４ｅからの空気の吐出量が上部側よりも下部側の方が多くなるように形成されている。
【００１７】
前面側通風路３０及び背面側通風路４０は、それぞれ前面側収納部１５及び背面側収納部１６の底面側に位置する下部ケース１１の断熱壁１１ａの底面と底板１１ｂとの間、背面側に位置する第１のダクト部材１５ａ，１６ａと各第１のダクト部材１５ａ，１６ａ間を前後に仕切る仕切板１７との間、上面側に位置する天板１３の下面側と上面板１３ａとの間に連続して形成されている。また、前面側収納部１５と背面側収納部１６の開口の下端に位置する下部ケース１１には、空気吸入口３１，４１が設けられ、開口の上端に位置する天板１３には、空気吐出口３２，４２が設けられている。更に、前面側収納部１５及び背面側収納部１６の底面側に位置する前面側通風路３０及び背面側通風路４０には、それぞれ前面側通風路３０及び背面側通風路４０に空気を流通させるための送風機３３，４３と、前面側通風路３０及び背面側通風路４０を流通する空気を冷却するための冷却器３４，４４とが設けられている。
【００１８】
また、前面側収納部１５及び背面側収納部１６には、それぞれ上下複数の第１の商品棚５０が着脱自在に設けられ、側面側収納部１４には、上下複数の第２の商品棚６０が着脱自在に設けられている。
【００１９】
各第１の商品棚５０は、ガラス板から形成された棚板５１と、前後方向に延びるように設けられ、棚板５１の両端側を支持するための一対の棚受５２とから構成されている。第１の商品棚５０は、各棚受５２の後端側を第１のダクト部材１５ａ，１６ａの幅方向両側に設けられた棚柱５３に係合させることにより、それぞれ前面側収納部１５及び背面側収納部１６の上下方向任意の位置に支持されるようになっている。棚板５１の前端側には、商品の落下を防止するためのガード部５１ａが幅方向に亘って上方に延びるように設けられている。また、各第１の商品棚５０は、前面側収納部１５及び背面側収納部１６の上部に位置する第１の商品棚５０の棚板５１の前後方向寸法よりも下部に位置する第１の商品棚５０の棚板５１の前後方向寸法が大きく形成されている。
【００２０】
第２の商品棚６０は、中空層を有する複層のガラス板から形成された棚板６１と、第２のダクト部材１４ａからそれぞれ側面側収納部１４の各コーナー部に延びるように設けられ、棚板６１を支持するための棚受６２とから構成されている。第２の商品棚６０は、棚受６２の後端側を第２のダクト部材１４ａに設けられた係止孔６３に係合させることにより、側面側収納部１４の上下方向任意の位置に支持されるようになっている。棚板６１上面の背面側を除く外周部には、商品の落下を防止するためのガード部６１ａが上方に延びるように設けられている。また、棚板６１下面の背面側を除く外周部には、棚板６１の下面に沿って流通する空気を下方に案内するための空気案内板６１ｂが下方に延びるように設けられている。空気案内板６１ｂには、棚板６１の下面に沿って流通する空気の一部を開口側に流通させて結露を防止するための複数の空気流通孔としての孔６１ｃが全面に亘って設けられている。また、各第２の商品棚６０は、側面側収納部１４の上部に位置する第２の商品棚６０の棚板６１の前後方向寸法及び幅方向寸法よりも下部に位置する第２の商品棚６０の棚板６１の前後方向及び幅方向寸法が大きく形成されている。
【００２１】
以上のように構成されたショーケースにおいて、前面側収納部１５では、送風機３３によって空気吸入口３１から前面側通風路３０に吸入した空気を、冷却器３４によって冷却して空気吐出口３２から吐出する。前面側収納部１５の開口にエアカーテンを形成する。また、背面側収納部１６においても、送風機４３によって空気吸入口４１から背面側通風路４０に吸入した空気を、冷却器４４によって冷却して空気吐出口４２から吐出する。これにより、前面側収納部１５及び背面側収納部１６の開口には、それぞれエアカーテンが形成され、前面側収納部１５及び背面側収納部１６に収納された商品が冷却される。
【００２２】
また、側面側収納部１４では、送風機２３によって空気吸入口２１から側面側通風路２０に吸入した空気を、冷却器２４によって冷却し、空気吐出口２２から吐出するとともに、第２のダクト部材１４ａの各空気吐出部１４ｄからそれぞれ側面側収納部１４の各コーナー部に向かって吐出する。このとき、第２のダクト部材１４ａの各空気吐出部１４ｄから吐出される空気は、空気案内部材２６によって第２のダクト部材１４ａを流通する空気が分流され、上部側に位置する空気吐出孔１４ｅからよりも下部側に位置する空気吐出孔１４ｅからの空気の吐出量が多くなる。また、各空気吐出部１４ｄから吐出された空気は、各第２の商品棚６０の下面側に沿って流通し、空気案内板６１ｂによって下方に流通する。これにより、側面側収納部１４の前面側、背面側及び一方の側面側の開口には、エアカーテンが形成され、エアカーテンが形成されない各コーナー部には第２のダクト部材１４ａの空気吐出部１４ｄから空気が吐出され、側面側収納部１４に収納された商品が冷却される。
【００２３】
このように、本実施形態のショーケースによれば、第２のダクト部材１４ａに、側面側収納部１４の各コーナー部に向かって空気を吐出可能な空気吐出孔１４ｅを上下方向に亘って複数設け、各空気吐出孔１４ｅから吐出する空気の吐出量がそれぞれ所定の吐出量となるように空気を案内するための空気案内部材２６を備えたので、側面側収納部１４の各コーナー部に空気を流通させるとともに、各コーナー部に吐出する空気を上下方向に異なる吐出量とすることができ、側面側収納部１４の前後方向寸法及び幅方向寸法が上下方向で異なる場合においても側面側収納部１４の温度を均一に冷却することが可能となる。
【００２４】
また、空気案内部材２６を、上方に位置する空気吐出孔１４ｅからの空気の吐出量よりも下方の空気吐出孔からの空気の吐出量が多くなるように形成したので、商品を載置する面積の大きく、外気の流入し易い側面側収納部１４の各コーナー部の下部に空気を吐出することができ、側面側収納部１４の温度をより均一に冷却することが可能となる。
【００２５】
また、空気案内部材２６を、下端側に開口部を有し、開口部から流入する空気を各空気吐出孔１４ｅから吐出可能な上下方向に延びるダクト状の部材から形成したので、空気案内部材２６を一部材から構成することができ、組付け工数及び加工工数の低減を図ることが可能となる。
【００２６】
また、空気吐出孔１４ｅを、上下方向に延びる長孔に形成したので、各空気吐出部１４ｄから吐出する空気を幅方向に拡散させることなく、上下方向に拡散させることができ、確実に側面側収納部１４の各コーナー部に空気を流通させることが可能となる。
【００２７】
また、第２の商品棚６０の第２のダクト部材１４ａ側を除く棚板６１の下面の周縁に、下方に延びる空気案内板６１ｂを設けたので、各空気吐出部１４ｄから吐出して棚板６１下面に沿って流通する空気を下方に案内することができ、各空気吐出部１４ｄから吐出した空気が開口部からショーケース本体１０の外部に流出することなく、側面側収納部１４を確実に冷却することが可能となる。
【００２８】
また、空気案内板６１ｄに、複数の孔６１ｃを設けたので、棚板６１の下面に沿って流通する空気の一部を空気案内板６１ｄの外側に流通させることができ、空気案内板６１ｄの外側の結露の発生を防止することが可能となる。
【００２９】
また、棚板６１を中空層を有するガラス板によって形成したので、棚板６１の下面に沿って流通する空気によって棚板６１の上面の空気が冷却されることはなく、棚板６１の上面の結露の発生を防止することが可能となる。
【００３０】
また、各送風機２３の上流側に位置する側面側通風路２０を各送風機２３ごとに仕切る仕切部材２５を備えたので、側面側通風路２０に流入する空気を側面側収納部１４の前面側、側面側及び背面側に位置する空気吸入口２１からそれぞれ均一に流入させることにより、ショーケース本体１０の開口からの冷気の漏洩を防止することができ、冷却効率の向上を図ることが可能となる。
【図面の簡単な説明】
【００３１】
【図１】本発明の一実施形態を示すショーケースの全体斜視図
【図２】ショーケースの正面図
【図３】ショーケースの側面図
【図４】図３のＡ−Ａ′断面図
【図５】図２のＢ−Ｂ′断面図
【図６】図２のＣ−Ｃ′断面図
【図７】図２のＤ−Ｄ′断面図
【図８】第２のダクト部材の側面側収納部側及び内部側を示す斜視図
【符号の説明】
【００３２】
１０…ショーケース本体、１４…側面側収納部、１４ａ…第２のダクト部材、１４ｄ…空気吐出部、１４ｅ…空気吐出孔、２０…側面側通風路、２１…空気吸入口、２２…空気吐出口、２３…送風機、２４…冷却器、２５…仕切部材、２６…空気案内部材、６０…第２の商品棚、６１…棚板、６１ａ…ガード部、６１ｂ…空気案内板、６１ｃ…孔、６２…棚受。
【図１】
2007163020.tif 000003
【図２】
2007163020.tif 000004
【図３】
2007163020.tif 000005
【図４】
2007163020.tif 000006
【図５】
2007163020.tif 000007
【図６】
2007163020.tif 000008
【図７】
2007163020.tif 000009
【図８】
2007163020.tif 000010